【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
ピエゾ抵抗性の生地と、
前記ピエゾ抵抗性の生地に直接印刷される、スクリーン印刷される、又は堆積される２またはそれよりも多くの導電配線と、
を備え、
前記複数の導電配線間の抵抗が、前記ピエゾ抵抗性の生地に加えられる力により変化する、センサ。
【請求項２】
前記ピエゾ抵抗性の生地は、織布または不織布である、請求項１に記載のセンサ。
【請求項３】
前記複数の導電配線は、前記ピエゾ抵抗性の生地に印刷された導電性インクを含む、請求項１または請求項２に記載のセンサ。
【請求項４】
前記導電性インクは、その中に懸濁された複数の導電性粒子を有するシリコーンインクを含む、請求項３に記載のセンサ。
【請求項５】
前記複数の導電配線は、前記ピエゾ抵抗性の生地に堆積された導電性塗料を含む、請求項１または請求項２に記載のセンサ。
【請求項６】
前記複数の導電配線は、前記ピエゾ抵抗性の生地の一方の面にのみ形成される、請求項１から請求項５のいずれか１項に記載のセンサ。
【請求項７】
前記複数の導電配線は、前記ピエゾ抵抗性の生地の反対側の両面に形成される、請求項１から請求項５のいずれか１項に記載のセンサ。
【請求項８】
前記ピエゾ抵抗性の生地の一方の面にある前記複数の導電配線のうちからの１つ目の導電配線が、前記ピエゾ抵抗性の生地の反対側の面にある前記複数の導電配線のうちからの２つ目の導電配線に、導電性材料が流し込まれたビアを用いて、金属ビアを用いて、または、金属リベットを用いて電気的に接続される、請求項７に記載のセンサ。
【請求項９】
前記複数の導電配線のうちからの１つ目の導電配線上に形成された絶縁材料をさらに備え、前記複数の導電配線のうちからの２つ目の導電配線の少なくとも一部分が、前記絶縁材料および前記１つ目の導電配線上に形成される、請求項１から請求項８のいずれか１項に記載のセンサ。
【請求項１０】
前記複数の導電配線のうちの少なくともいくつかが、前記ピエゾ抵抗性の生地の縁部にあるコネクタ中の対応する複数の導体に電気的に接続される、請求項１から請求項９のいずれか１項に記載のセンサ。
【請求項１１】
前記コネクタは、導電性および非導電性ゴムが交互に入れ替わるエラストマーコネクタ、フレキシブル回路基板、外部アセンブリへの接続のための複数の導電糸、または、導電性接着剤および複数のリベットの少なくとも一方により前記ピエゾ抵抗性の生地へ接続された複数の導体の束を含み、前記導電性接着剤および前記複数のリベットの少なくとも一方は、前記複数の導電配線への複数の電気的接続を形成する、請求項１０に記載のセンサ。
【請求項１２】
前記２またはそれよりも多くの導電配線は、第１の導電性により特徴付けられる第１の導電配線と、前記第１の導電性より低い第２の導電性により特徴付けられる第２の導電配線とを含み、前記センサは、第１のデューティサイクルにより特徴付けられる第１の信号によって前記第２の導電配線の一方の端部を駆動し、第２のデューティサイクルにより特徴付けられる第２の信号によって前記第２の導電配線の反対側の端部を駆動する回路をさらに備え、前記回路はさらに、前記第１の導電配線から混合信号を受信し、前記混合信号は、前記ピエゾ抵抗性の生地を介した前記第１および第２の信号からの寄与を含み、前記回路はさらに、前記混合信号に対する前記第１および第２の信号の前記寄与を参照して、前記第２の導電配線の第１軸に沿ったタッチイベントの位置を検出する、請求項１から請求項１１のいずれか１項に記載のセンサ。
【請求項１３】
前記２またはそれよりも多くの導電配線は、前記第２の導電性により特徴付けられる第３の導電配線を含み、前記回路はさらに、第３のデューティサイクルにより特徴付けられる第３の信号によって前記第３の導電配線の一方の端部を駆動し、第４のデューティサイクルにより特徴付けられる第４の信号によって前記第３の導電配線の反対側の端部を駆動し、前記混合信号は、前記ピエゾ抵抗性の生地を介した前記第３および第４の信号からの寄与を含み、前記回路はさらに、前記混合信号に対する前記第３および第４の信号の前記寄与を参照して、前記第２および第３の導電配線の第２軸に沿った前記タッチイベントの前記位置を検出する、請求項１２に記載のセンサ。
【請求項１４】
前記複数の導電配線から１または複数の信号を受信し、前記１または複数の信号を参照してタッチイベントを検出する回路をさらに備える、請求項１から請求項１３のいずれか１項に記載のセンサ。
【請求項１５】
前記回路はさらに、前記タッチイベントの位置および前記タッチイベントの力の大きさのいずれか、または両者を決定する、請求項１４に記載のセンサ。
【請求項１６】
前記複数の導電配線は、前記ピエゾ抵抗性の生地の一方の面に形成され、第１方向に方向付けられた前記複数の導電配線の平行な第１のアレイ、および、前記ピエゾ抵抗性の生地の反対側の面に形成され、前記第１のアレイに対して９０度に方向付けられた前記複数の導電配線の平行な第２のアレイに配置され、前記センサは、複数の導電配線の前記第１のアレイを連続して駆動し、複数の導電配線の前記第２のアレイを連続してスキャンする回路をさらに備え、前記回路はさらに、複数の導電配線の前記第２のアレイから受信される複数の信号を参照して、タッチイベントの力の位置および大きさを決定する、請求項１から請求項５および請求項７から請求項１５のいずれか１項に記載のセンサ。
【請求項１７】
前記回路はさらに、前記タッチイベントと実質的に同時に起きる、１または複数の追加のタッチイベントの力の１または複数の追加の位置および１または複数の追加の大きさを決定する、請求項１６に記載のセンサ。
【請求項１８】
前記複数の導電配線は複数の四分円に配置され、前記センサは、前記複数の四分円の前記複数の導電配線から受信される複数の信号を参照してタッチイベントを検出する回路をさらに備え、前記回路はさらに、前記タッチイベントの位置、前記タッチイベントの力の大きさ、前記タッチイベントの動きの速度、および、前記タッチイベントの動きの方向を決定する、請求項１から請求項１７のいずれか１項に記載のセンサ。
【請求項１９】
前記複数の導電配線は複数の導電配線群として配置され、前記複数の導電配線群のそれぞれは、前記複数の導電配線のうちの２またはそれよりも多くを含み、前記複数の導電配線群のそれぞれにおける前記複数の導電配線間の抵抗は、前記導電配線群の近傍において前記ピエゾ抵抗性の生地に加えられる力によって変化し、前記センサは、前記複数の導電配線群のそれぞれから１または複数の信号を受信し、これに応答して制御情報を生成する回路をさらに備え、前記制御情報は、前記回路と通信している１または複数のプロセスもしくは装置の動作を制御するためのものである、請求項１から請求項１８のいずれか１項に記載のセンサ。
【請求項２０】
請求項１から請求項１９のいずれか１項に記載のセンサを含む衣類であって、前記ピエゾ抵抗性の生地が、前記衣類に組み込まれている、衣類。
【請求項２１】
前記ピエゾ抵抗性の生地は、人の頭に着用するための帽子と一体化された１または複数のピエゾ抵抗性の生地片であり、前記１または複数のピエゾ抵抗性の生地片のそれぞれは、前記複数の導電配線のアレイを自身の上に有し、前記センサは、前記複数の導電配線から受信される複数の信号を参照してタッチイベントを検出する回路をさらに備え、前記回路はさらに、前記タッチイベントの位置および前記タッチイベントの力の大きさを決定する、請求項１から請求項１９のいずれか１項に記載のセンサまたは請求項２０に記載の衣類に含まれるセンサ。
【請求項２２】
前記１または複数のピエゾ抵抗性の生地片のそれぞれにおける複数の導電配線の前記アレイは、第１の導電性により特徴付けられる第１の複数の導電配線であって、前記第１の導電性より低い第２の導電性により特徴付けられる第２の複数の導電配線と交互に入れ替わる第１の複数の導電配線を含み、前記回路は、第１のデューティサイクルにより特徴付けられる第１の信号によって前記第２の複数の導電配線のそれぞれの一方の端部を駆動し、第２のデューティサイクルにより特徴付けられる第２の信号によって前記第２の複数の導電配線のそれぞれの反対側の端部を駆動し、前記回路はさらに、前記第１の複数の導電配線のそれぞれから混合信号を受信し、前記混合信号は、前記ピエゾ抵抗性の生地を介した隣接する第２の複数の導電配線に対する前記第１および第２の信号からの寄与を含み、前記回路はさらに、前記混合信号に対する前記第１および第２の信号の前記寄与を参照して、前記第２の複数の導電配線の第１軸に沿ったタッチイベントの位置を検出する、請求項２１に記載のセンサ。
【請求項２３】
前記２またはそれよりも多くの導電配線は、前記第２の複数の導電配線の前記第１軸と実質的に直交するように方向付けられた前記１または複数のピエゾ抵抗性の生地片のそれぞれにおいて平行な複数の配線のアレイを含み、前記回路はさらに、平行な複数の配線の前記アレイから受信される複数の信号を参照して、同一のピエゾ抵抗性の生地片における多数のタッチイベント間の曖昧さを除去する、請求項２２に記載のセンサ。
【手続補正２】
【補正対象書類名】明細書
【補正対象項目名】０２３６
【補正方法】変更
【補正の内容】
【０２３６】
最後に、様々な利点、態様、および目的が様々な実施例を参照して本明細書にて説明されてきたが、本開示の範囲は、そのような複数の利点、態様、および目的に対する参照によって限定されるべきではないことが理解されるだろう。
［項目１］
フレキシブルピエゾ抵抗基板と、
上記ピエゾ抵抗基板に直接形成された２またはそれよりも多くの導電配線と、
を備え、
上記複数の導電配線間の抵抗が、上記ピエゾ抵抗基板に加えられる力により変化する、センサ。
［項目２］
上記ピエゾ抵抗基板はピエゾ抵抗性の生地である、項目１に記載のセンサ。
［項目３］
上記ピエゾ抵抗性の生地は、織布または不織布である、項目２に記載のセンサ。
［項目４］
上記ピエゾ抵抗基板はピエゾ抵抗ゴムである、項目１に記載のセンサ。
［項目５］
上記複数の導電配線は、上記ピエゾ抵抗基板に印刷された導電性インクを含む、項目１から項目４のいずれか１項に記載のセンサ。
［項目６］
上記導電性インクは、その中に懸濁された複数の導電性粒子を有するシリコーンインクを含む、項目５に記載のセンサ。
［項目７］
上記複数の導電配線は、上記ピエゾ抵抗基板に堆積された導電性塗料を含む、項目１から項目４のいずれか１項に記載のセンサ。
［項目８］
上記複数の導電配線は、上記ピエゾ抵抗基板の一方の面にのみ形成される、項目１から項目７のいずれか１項に記載のセンサ。
［項目９］
上記複数の導電配線は、上記ピエゾ抵抗基板の反対側の両面に形成される、項目１から項目７のいずれか１項に記載のセンサ。
［項目１０］
上記ピエゾ抵抗基板の一方の面にある上記複数の導電配線のうちからの１つ目の導電配線が、上記ピエゾ抵抗基板の反対側の面にある上記複数の導電配線のうちからの２つ目の導電配線に、導電性材料が流し込まれたビアを用いて、金属ビアを用いて、または、金属リベットを用いて電気的に接続される、項目９に記載のセンサ。
［項目１１］
上記複数の導電配線のうちからの１つ目の導電配線上に形成された絶縁材料をさらに備え、上記複数の導電配線のうちからの２つ目の導電配線の少なくとも一部分が、上記絶縁材料および上記１つ目の導電配線上に形成される、項目１から項目１０のいずれか１項に記載のセンサ。
［項目１２］
上記複数の導電配線のうちの少なくともいくつかが、上記ピエゾ抵抗基板の縁部にあるコネクタ中の対応する複数の導体に電気的に接続される、項目１から項目１１のいずれか１項に記載のセンサ。
［項目１３］
上記コネクタは、導電性および非導電性ゴムが交互に入れ替わるエラストマーコネクタ、フレキシブル回路基板、外部アセンブリへの接続のための複数の導電糸、または、導電性接着剤および複数のリベットの少なくとも一方により上記ピエゾ抵抗基板へ接続された複数の導体の束を含み、上記導電性接着剤および上記複数のリベットの少なくとも一方は、上記複数の導電配線への複数の電気的接続を形成する、項目１２に記載のセンサ。
［項目１４］
上記２またはそれよりも多くの導電配線は、第１の導電性により特徴付けられる第１の導電配線と、上記第１の導電性より低い第２の導電性により特徴付けられる第２の導電配線とを含み、上記センサは、第１のデューティサイクルにより特徴付けられる第１の信号によって上記第２の導電配線の一方の端部を駆動し、第２のデューティサイクルにより特徴付けられる第２の信号によって上記第２の導電配線の反対側の端部を駆動する回路をさらに備え、上記回路はさらに、上記第１の導電配線から混合信号を受信し、上記混合信号は、上記ピエゾ抵抗基板を介した上記第１および第２の信号からの寄与を含み、上記回路はさらに、上記混合信号に対する上記第１および第２の信号の上記寄与を参照して、上記第２の導電配線の第１軸に沿ったタッチイベントの位置を検出する、項目１から項目１３のいずれか１項に記載のセンサ。
［項目１５］
上記２またはそれよりも多くの導電配線は、上記第２の導電性により特徴付けられる第３の導電配線を含み、上記回路はさらに、第３のデューティサイクルにより特徴付けられる第３の信号によって上記第３の導電配線の一方の端部を駆動し、第４のデューティサイクルにより特徴付けられる第４の信号によって上記第３の導電配線の反対側の端部を駆動し、上記混合信号は、上記ピエゾ抵抗基板を介した上記第３および第４の信号からの寄与を含み、上記回路はさらに、上記混合信号に対する上記第３および第４の信号の上記寄与を参照して、上記第２および第３の導電配線の第２軸に沿った上記タッチイベントの上記位置を検出する、項目１４に記載のセンサ。
［項目１６］
上記複数の導電配線から１または複数の信号を受信し、上記１または複数の信号を参照してタッチイベントを検出する回路をさらに備える、項目１から項目１５のいずれか１項に記載のセンサ。
［項目１７］
上記回路はさらに、上記タッチイベントの位置および上記タッチイベントの力の大きさのいずれか、または両者を決定する、項目１６に記載のセンサ。
［項目１８］
上記複数の導電配線は、上記ピエゾ抵抗基板の一方の面に形成され、第１方向に方向付けられた上記複数の導電配線の平行な第１のアレイ、および、上記ピエゾ抵抗基板の反対側の面に形成され、上記第１のアレイに対して９０度に方向付けられた上記複数の導電配線の平行な第２のアレイに配置され、上記センサは、複数の導電配線の上記第１のアレイを連続して駆動し、複数の導電配線の上記第２のアレイを連続してスキャンする回路をさらに備え、上記回路はさらに、複数の導電配線の上記第２のアレイから受信される複数の信号を参照して、タッチイベントの力の位置および大きさを決定する、項目１から項目７および項目９から項目１７のいずれか１項に記載のセンサ。
［項目１９］
上記回路はさらに、上記タッチイベントと実質的に同時に起きる、１または複数の追加のタッチイベントの力の１または複数の追加の位置および１または複数の追加の大きさを決定する、項目１８に記載のセンサ。
［項目２０］
上記複数の導電配線は複数の四分円に配置され、上記センサは、上記複数の四分円の上記複数の導電配線から受信される複数の信号を参照してタッチイベントを検出する回路をさらに備え、上記回路はさらに、上記タッチイベントの位置、上記タッチイベントの力の大きさ、上記タッチイベントの動きの速度、および、上記タッチイベントの動きの方向を決定する、項目１から項目１９のいずれか１項に記載のセンサ。
［項目２１］
上記複数の導電配線は複数の導電配線群として配置され、上記複数の導電配線群のそれぞれは、上記複数の導電配線のうちの２またはそれよりも多くを含み、上記複数の導電配線群のそれぞれにおける上記複数の導電配線間の抵抗は、上記導電配線群の近傍において上記ピエゾ抵抗基板に加えられる力によって変化し、上記センサは、上記複数の導電配線群のそれぞれから１または複数の信号を受信し、これに応答して制御情報を生成する回路をさらに備え、上記制御情報は、上記回路と通信している１または複数のプロセスもしくは装置の動作を制御するためのものである、項目１から項目２０のいずれか１項に記載のセンサ。
［項目２２］
項目１から項目２１のいずれか１項に記載のセンサを含む衣類であって、上記ピエゾ抵抗基板は、上記衣類に組み込まれたピエゾ抵抗性の生地である、衣類。
［項目２３］
上記ピエゾ抵抗基板は、人の頭に着用するための帽子と一体化された１または複数のピエゾ抵抗性の生地片であり、上記１または複数のピエゾ抵抗性の生地片のそれぞれは、上記複数の導電配線のアレイを自身の上に有し、上記センサは、上記複数の導電配線から受信される複数の信号を参照してタッチイベントを検出する回路をさらに備え、上記回路はさらに、上記タッチイベントの位置および上記タッチイベントの力の大きさを決定する、項目１から項目２１のいずれか１項に記載のセンサまたは項目２２に記載の衣類に含まれるセンサ。
［項目２４］
上記１または複数のピエゾ抵抗性の生地片のそれぞれにおける複数の導電配線の上記アレイは、第１の導電性により特徴付けられる第１の複数の導電配線であって、上記第１の導電性より低い第２の導電性により特徴付けられる第２の複数の導電配線と交互に入れ替わる第１の複数の導電配線を含み、上記回路は、第１のデューティサイクルにより特徴付けられる第１の信号によって上記第２の複数の導電配線のそれぞれの一方の端部を駆動し、第２のデューティサイクルにより特徴付けられる第２の信号によって上記第２の複数の導電配線のそれぞれの反対側の端部を駆動し、上記回路はさらに、上記第１の複数の導電配線のそれぞれから混合信号を受信し、上記混合信号は、上記ピエゾ抵抗基板を介した隣接する第２の複数の導電配線に対する上記第１および第２の信号からの寄与を含み、上記回路はさらに、上記混合信号に対する上記第１および第２の信号の上記寄与を参照して、上記第２の複数の導電配線の第１軸に沿ったタッチイベントの位置を検出する、項目２３に記載のセンサ。
［項目２５］
上記２またはそれよりも多くの導電配線は、上記第２の複数の導電配線の上記第１軸と実質的に直交するように方向付けられた上記１または複数のピエゾ抵抗性の生地片のそれぞれにおいて平行な複数の配線のアレイを含み、上記回路はさらに、平行な複数の配線の上記アレイから受信される複数の信号を参照して、同一のピエゾ抵抗性の生地片における多数のタッチイベント間の曖昧さを除去する、項目２４に記載のセンサ。